(57)【要約】      （修正有）【課題】内部流路が筒状に形成され、生産効率の向上及び生産コストの低減を図ることができる自動水栓を提供する。【解決手段】冷水導入孔１１と熱水導入孔１２とを含む固定ユニット１と、水栓ユニット２と、水温調整ユニット３と、手動式制御ユニット４と、ハウジングと、電磁弁６と、センサ部と、を含み、水栓ユニット２は、冷水導入孔１１と連通する冷水水路２１及び熱水導入孔１２と連通する熱水水路２２とを囲み、且つ調整ユニット取付け部２３と、調整ユニット取付け部２３より下流側に位置する箇所に形成されているバイパス水路２４と、支持孔２５と、支持孔２５と連通する導出水路２６と、導出水路２６とバイパス水路２４とを繋ぐように形成されている連通水路とが更に形成されている。【選択図】図３
0003204570.tif 000002
【実用新案登録請求の範囲】
【請求項１】
冷水源と連通すると該冷水源から冷水を導入できる冷水導入孔及び熱水源と連通すると該熱水源から熱水を導入できる熱水導入孔を有するように構成された固定ユニットと、
前記固定ユニットに取付けられ、前記固定ユニットに取付けられる端部の反対側にある端部に支持孔が形成されている水栓ユニットと、を具える自動水栓であって、
前記水栓ユニットは、
前記固定ユニットの前記冷水導入孔から所定の軸線と略平行に前記支持孔まで延伸して該冷水導入孔から前記冷水を受入れて前記支持孔に流れ込ませることができる冷水水路と、
前記固定ユニットの前記熱水導入孔から前記軸線と略平行に前記支持孔まで延伸して該熱水導入孔から前記熱水を受入れて前記支持孔に流れ込ませることができる熱水水路と、
前記軸線と異なる方向に沿って延伸し、且つ前記冷水水路と前記熱水水路と連通するように形成されている調整ユニット取付け部と、
前記冷水水路及び前記熱水水路における前記調整ユニット取付け部より下流側に位置する箇所から、前記軸線と異なる方向に沿って延伸するように形成されているバイパス水路と、
前記支持孔と連通するように形成されている導出水路と、
前記導出水路と前記バイパス水路とを繋ぐように形成されている連通水路と、を囲むように形成されており、更に、前記冷水水路からの冷水及び前記熱水水路からの熱水が前記調整ユニット取付け部を通過する割合を調整することができるように、前記水栓ユニットの前記調整ユニット取付け部に取り付けられている水温調整ユニットと、
前記バイパス水路に取り付けられ、前記バイパス水路の前記冷水水路及び前記熱水水路との連通状態を開状態と閉状態との間に切り替えることができるように構成されている手動式制御ユニットと、
前記固定ユニット及び前記水栓ユニットを収容するハウジングと、
下流側から前記支持孔を覆うように前記水栓ユニットに取り付けられていると共に、電磁コイルと、前記電磁コイルに駆動される制御シャフトと、前記制御シャフトの作動に応じて前記軸線に沿って前記支持孔内における摺動で前記支持孔と前記導出水路との連通状態を制御する弁体とを有する電磁弁と、
前記ハウジングに取り付けられると共に前記電磁弁に電気的に接続され、前記電磁弁の前記電磁コイルを作動して前記制御シャフトと連動する前記弁体を動かすことで前記導出水路の開閉を制御できるように構成されているセンサ部と、を具えることを特徴とする自動水栓。
【請求項２】
前記水栓ユニットの前記調整ユニット取付け部は、前記冷水水路及び前記熱水水路と略直交に延伸し且つ前記冷水水路及び前記熱水水路と連通するように形成されており、
前記バイパス水路は、前記調整ユニット取付け部が延伸する方向と略平行に延伸し、且つ前記冷水水路及び前記熱水水路と連通するように形成されていることを特徴とする請求項１に記載の自動水栓。
【請求項３】
前記水栓ユニットの前記導出水路は、前記軸線に沿って設置されると共に前記支持孔に連通する導入端部と、前記導入端部と略直交する第１の導出端部と、前記第１の導出端部の延長線の方向に沿って形成されていると共に前記連通水路と連通する第２の導出端部と、を有するように略Ｔ字形に形成されており、
また、前記冷水水路と熱水水路はそれぞれ前記導出水路の前記第１の導出端部を挟むように該第１の導出端部の両側に配置されていることを特徴とする請求項１に記載の自動水栓。
【請求項４】
前記水栓ユニットはプラスチック材料により作成されたことを特徴とする請求項１に記載の自動水栓。
【請求項５】
前記電磁弁は、前記制御シャフトの前記弁体に臨む端部に配置されている弁体取付け座と、前記弁体と前記弁体取付け座との間に介在し、前記弁体に対して前記弁体取付け座から離れさせて前記導出水路に接近させる付勢力を与え続けることができる圧縮コイルばねと、前記弁体取付け座の前記弁体に面する側の反対側に配置されている圧力調整室と、前記弁体取付け座に設置されると共に、両端がそれぞれ前記導出水路と前記圧力調整室と連通するように形成されている減圧孔と、前記弁体と前記弁体取付け座に複数設置されており、前記冷水水路及び前記熱水水路と前記圧力調整室と連通するように形成されている連通孔と、を具え、前記連通孔の横断面の面積は前記減圧孔の横断面の面積より小であることを特徴とする請求項１に記載の自動水栓。
【考案の詳細な説明】
【技術分野】
【０００１】
本考案は、センサを用いることにより吐水及び止水を自動的に行うことができる自動水栓に関する。
【背景技術】
【０００２】
自動水栓は、例えば公共施設や、医療施設、更に一般住宅などの場所で設置されている洗面台やお手洗いに広く用いられていることが知られている。自動水栓は水栓を触らずに手を洗うことができるので、利便性が高く、病原体、例えば細菌やウイルスなどの拡散を防ぐことができるという利点を更に有している。このような従来の自動水栓は、吐水及び止水を自動的に行うために、赤外線センサを電磁弁に電気的に接続させており、吐水口に差し出された手を赤外線で検知することで、電磁弁の開閉を制御することができるように構成されている（例えば、後述する特許文献１，２，３を参照）。
【０００３】
しかしながら、上述した自動水栓では、吐水及び止水が全く赤外線センサに応じて作動される電磁弁により制御されているため、赤外線センサまたは電磁弁などが故障や電池切れなどの不具合で作動しなくなると、その不具合が排除されるまで水栓としての使用は不可能である。即ち、自動制御機能の不具合により、水栓として最も基本的な吐水及び止水機能まで失うことになり、使用者は手を洗うこと及び汚物を除去することができないため、公衆衛生としては病原体が拡散する虞がある。
【０００４】
この問題を解決するため、吐水及び止水を自動的に行う自動水栓であって、内部に水路部材を具えるように一体に形成されている水栓本体と、検知手段と、温度調整手段と、開閉レバーと、吐水管と、を含み、検知手段と温度調整手段と開閉レバーと吐水管は、それぞれ水路部材の構造に対応して水栓本体に取り付けられているように構成されている自動水栓が知られている（例えば、特許文献４を参照）。
【先行技術文献】
【特許文献】
【０００５】
【特許文献１】台湾特許Ｍ４８４０３６号明細書
【特許文献２】台湾特許Ｍ４７４８４６号明細書
【特許文献３】台湾特許Ｉ３５０３５４号明細書
【特許文献４】台湾特許Ｍ３１０２８１号明細書
【考案の概要】
【考案が解決しようとする課題】
【０００６】
特許文献４に記載された自動水栓は、検知手段が故障によって検知することができなくなり、吐水及び止水を自動的に行うことができなくなっても、故障を復旧するまでの応急処置として、開閉レバーを操作することで吐水及び止水を制御することができる。しかしながら、特許文献４に記載された自動水栓における水栓本体は、その内部流路たる水路部材に曲がった部分が多数存在するように形成されている故、鋳造法で水栓本体を製造することが必要である。従って、全体的に自動水栓の製造におけるコストを低減できない。
【０００７】
本考案は以上の問題点を解決し、自動水栓の内部流路を変更することにより生産効率を向上させると共に生産コストを低減することができる自動水栓の提供を目的とする。
【課題を解決するための手段】
【０００８】
上記目的を達成すべく、本考案は、冷水源と連通すると該冷水源から冷水を導入できる冷水導入孔及び熱水源と連通すると該熱水源から熱水を導入できる熱水導入孔を有するように構成された固定ユニットと、前記固定ユニットに取付けられ、前記固定ユニットに取付けられる端部の反対側にある端部に支持孔が形成されている水栓ユニットと、を具える自動水栓であって、前記水栓ユニットには、前記固定ユニットの前記冷水導入孔から所定の軸線と略平行するように、前記支持孔まで延伸して該冷水導入孔から前記冷水を受入れて前記支持孔に流れ込ませることができる冷水水路と、前記固定ユニットの前記熱水導入孔から前記軸線と略平行するように前記支持孔まで延伸して該熱水導入孔から前記熱水を受入れて前記支持孔に流れ込ませることができる熱水水路と、前記軸線と異なる方向に沿って延伸し、且つ前記冷水水路と前記熱水水路と連通するように形成されている調整ユニット取付け部と、前記冷水水路及び前記熱水水路における前記調整ユニット取付け部より下流側に位置する箇所から、前記軸線と異なる方向に沿って延伸するように形成されているバイパス水路と、前記支持孔と連通するように形成されている導出水路と、前記導出水路と前記バイパス水路とを繋ぐように形成されている連通水路と、を囲むように形成されており、更に、前記冷水水路からの冷水及び前記熱水水路からの熱水が前記調整ユニット取付け部に通過する割合を調整することができるように、前記水栓ユニットの前記調整ユニット取付け部に取り付けられている水温調整ユニットと、前記バイパス水路に取り付けられ、前記バイパス水路の前記冷水水路及び前記熱水水路との連通状態を開状態と閉状態との間に切り替えることができるように構成されている手動式制御ユニットと、前記固定ユニット及び前記水栓ユニットを収容するハウジングと、下流側から前記支持孔を覆うように前記水栓ユニットに取り付けられていると共に、電磁コイルと、前記電磁コイルに駆動される制御シャフトと、前記制御シャフトの作動に応じて前記軸線に沿って前記支持孔内における摺動で前記支持孔と前記導出水路との連通状態を制御する弁体とを有する電磁弁と、前記ハウジングに取り付けられると共に前記電磁弁に電気的に接続され、前記電磁弁の前記電磁コイルを作動して前記制御シャフトと連動する前記弁体を動かすことで前記導出水路の開閉を制御できるように構成されているセンサ部と、を具えることを特徴とする自動水栓を提供する。
【考案の効果】
【０００９】
本考案の自動水栓は、手動式制御ユニットの設置によって、部品の故障や電池切れによりセンサ部又は電磁弁が作動しなくなっても、吐水及び止水できるように構成されている上、水栓ユニットの内部流路が製造し易いように形成されているので、生産効率を向上させると共に生産コストを低減することができる。
【図面の簡単な説明】
【００１０】
【図１】本考案の自動水栓の実施形態を示す斜視図である。
【図２】本考案の自動水栓の実施形態を示す分解斜視図である。
【図３】本考案の自動水栓の実施形態の一部である水栓ユニットと、水温調整ユニットと、手動式制御ユニットと、電磁弁とを示す分解斜視図である。
【図４】本考案の自動水栓の実施形態の一部を示す断面図である。
【図５】図４における破線Ｖ−Ｖによる断面図である。
【図６】図４における破線ＶＩ−ＶＩによる断面図である。
【図７】図４における破線ＶＩＩ−ＶＩＩによる断面図である。
【図８】本考案の自動水栓の実施形態の水栓ユニットだけを別の視点から示す斜視図である。
【図９】本考案の自動水栓の実施形態の電磁弁を示す断面図である。
【図１０】本考案の自動水栓の実施形態の電磁弁を開閉する仕組みを示す断面図である。
【考案を実施するための形態】
【００１１】
以下、添付図面を参照しながら本考案に係る自動水栓の好ましい実施形態について詳しく説明する。
【００１２】
図１は本考案の自動水栓の実施形態を示す斜視図であり、図２は本考案の自動水栓の実施形態を示す分解斜視図であり、図３は本考案の自動水栓の実施形態の一部である水栓ユニットと、水温調整ユニットと、手動式制御ユニットと、電磁弁とを示す分解斜視図であり、そして図４は本考案の自動水栓の実施形態の一部を示す断面図である。
【００１３】
図１〜３に示されているように、本実施形態は、固定ユニット１と、水栓ユニット２と、水温調整ユニット３と、手動式制御ユニット４と、ハウジング５と、電磁弁６と、センサ部７と、吐水管８と、組電池９と、を含む。各部品の組み立てについては後述する。
【００１４】
固定ユニット１は、図３と図４に示されているように、例えば洗面台や台所などに取り付けられ、冷水源と連通する該冷水源から冷水を導入できる冷水導入孔１１と、熱水源と連通する該熱水源から熱水を導入できる熱水導入孔１２と、を有するように構成されている。
【００１５】
水栓ユニット２について、図４〜８を参照しながら説明する。図５は図４における破線Ｖ−Ｖによる断面図であり、図６は図４における破線ＶＩ−ＶＩによる断面図であり、図７は図４における破線ＶＩＩ−ＶＩＩによる断面図であり、図８は本考案の自動水栓の実施形態の水栓ユニットだけを別の視点から示す斜視図である。水栓ユニット２は、プラスチック材料により射出成形法で作成されているものであり、図５に示すように、固定ユニット１に取付けられ、固定ユニット１に取付けられる端部の反対側にある端部に支持孔２５が形成されると共に冷水水路２１及び熱水水路２２を囲むように形成されている。そして、図４に示す調整ユニット取付け部２３と、バイパス水路２４と、導出水路２６と、連通水路２７（図６参照）とを囲むように更に形成されている。
【００１６】
冷水水路２１は、図４に示されているように、固定ユニット１の冷水導入孔１１から所定の軸線Ｌと略平行に支持孔２５まで延伸して冷水導入孔１１から冷水を受け入れて支持孔２５に流れ込ませることができる。熱水水路２２は、固定ユニット１の熱水導入孔１２から軸線Ｌと略平行に支持孔２５まで延伸して熱水導入孔１２から熱水を受入れて支持孔２５に流れ込ませることができる。
【００１７】
調整ユニット取付け部２３は、図３と図４に示されているように、軸線Ｌの方向において冷水導入孔１１及び熱水導入孔１２と詳しくは支持孔２５の間に設けられ、且つ軸線Ｌと略直交する方向に延伸すると共に冷水水路２１及び熱水水路２２の軸線Ｌの方向における中間付近でこれらと連通するように形成されている。
【００１８】
バイパス水路２４は、図４と図５と図８に示されているように、冷水水路２１及び熱水水路２２における調整ユニット取付け部２３より下流側に位置する箇所であって、軸線Ｌと略直交し且つ調整ユニット取付け部２３が延伸する方向と略平行に延伸すると共に冷水水路２１及び熱水水路２２と連通するように形成されている。また、バイパス水路２４は、冷水水路２１及び熱水水路２２と連通するバイパス導入部２４１と、バイパス導入部２４１と連通すると共にバイパス導入部２４１の横断面積より大きい横断面積を有するバイパス導出部２４２とを含み、バイパス導出部２４２は連通水路２７と連通する（図６と図８参照）。
【００１９】
支持孔２５は、図３と図４に示されているように、冷水水路２１及び熱水水路２２における最も下流側に位置する箇所に冷水水路２１及び熱水水路２２の終端として形成されると共に、冷水水路２１及び熱水水路２２とそれぞれ連通するように形成されている。
【００２０】
導出水路２６は、図４の断面図において、冷水水路２１及び熱水水路２２における調整ユニット取付け部２３より更に下流側に位置する箇所で軸線Ｌ及びバイパス水路２４の延伸方向とそれぞれ略直交する方向に沿って延伸するように形成されている。また、導出水路２６は、図６において軸線Ｌに沿って設置されると共に支持孔２５に連通する導入端部２６１と、導入端部２６１と略直交する第１の導出端部２６２と、第１の導出端部２６２の延長線の方向に沿って形成されていると共に連通水路２７と連通する第２の導出端部２６３とを有するように略Ｔ字形に形成されている。更に、冷水水路２１と熱水水路２２は、それぞれ導出水路２６の第１の導出端部２６２を挟むように第１の導出端部２６２の両側に配置されている（図４と図７参照）。
【００２１】
連通水路２７は、図８に示されているように、バイパス水路２４と導出水路２６とを繋ぐように形成されている。
【００２２】
水温調整ユニット３は、図３と図４に示されているように、冷水水路２１からの冷水及び熱水水路２２からの熱水に対して、調整ユニット取付け部２３を通過する割合を調整することができるように構成され、水栓ユニット２の調整ユニット取付け部２３内に取り付けられている。水温調整ユニット３は、冷水水路２１からの水を通過させる冷水規制孔３１１と熱水水路２２からの熱水を通過させる熱水規制孔３１２とを穿設し、軸線Ｌと直交する方向を回動軸にして回動自在に調整ユニット取付け部２３内に取り付けるように形成されている水温調整体３１と、水温調整体３１と係合して水温調整体３１を回動させることができる水温調整レバー３２とを含む。また、水温調整体３１の冷水規制孔３１１と熱水規制孔３１２は、水温調整体３１に貫通すると共にそれぞれ貫通する方向が所定の角度をずらすように形成されている。水温調整レバー３２を操作して水温調整体３１を回動させると、冷水規制孔３１１と冷水水路２１との接続面の面積且つ熱水規制孔３１２と熱水水路２２との接続面の面積は変化し、冷水規制孔３１１と熱水規制孔３１２を通過する冷水と熱水の量は接続面の面積によって変化する。従って、調整ユニット取付け部２３を通過する冷水と熱水の割合を水温調整体３１で調整し、最終的に吐水管からの水の温度を調整することができる。
【００２３】
手動式制御ユニット４は、図３〜５に示されているように、バイパス水路２４に取り付けられ、バイパス水路２４の冷水水路２１及び熱水水路２２との連通状態を開状態と閉状態との間に切り替えることができるように構成されている。手動式制御ユニット４は、軸線Ｌと直交する方向を回動軸にして回動自在にバイパス水路２４内に取り付けられるように形成されているバイパスバルブ４１と、バイパスバルブ４１と連接してバイパスバルブ４１を回動させることができるバイパスレバー４２とを含むように構成されている。また、バイパスバルブ４１は、バイパス水路２４内において該バイパス水路２４を遮断するように固定されていると共に、バイパスバルブ４１の回動軸の両側に対応する位置に２つの通孔４１３が開けられている止水板４１１と、そしてバイパスレバー４２の回動に伴ってバイパス水路２４内において回動すると共に、止水板４１１に形成されている２つの通孔４１３（図面に追加）に対応して、回動に伴って開状態において該２つの通孔４１３と連通する２つの切り欠き部４１４（図面に追加）及び切り欠き部４１４に隣接しながら閉状態において該２つの通孔４１３を封止する塞き止め部４１５が形成されているバイパス弁体４１２とを含むように構成されている。なお、図３において示されているバイパスバルブ４１の構成は、閉状態に対応している。
【００２４】
バイパスレバー４２を操作してバイパスバルブ４１を回動させると、バイパス弁体４１２はバイパスバルブ４１と共に止水板４１１に対して相対的に回動し、バイパス水路２４の連通水路２７との連通状態を止水板４１１の通孔４１３とバイパス弁体４１２の切り欠き部４１４とが連通する開状態と、バイパス弁体４１２の塞き止め部４１５が止水板４１１の通孔４１３を封止する閉状態との間に切り替えることができると共に、バイパス水路２４の冷水水路２１及び熱水水路２２との連通状態を開状態と閉状態との間で切り替えることもできる。ちなみに、この実施形態において、手動式制御ユニット４の回動軸は取付け孔２３の反対側において取付け孔２３の延伸方向と略一致するようになっているが、必要によっては取付け孔２３の延伸方向と一致しないように構成することも可能である。
【００２５】
このような構造としたため、手動式制御ユニット４は、バイパスレバー４２に対する操作により開状態に切り替えられると、バイパス導入部２４１からの熱水と冷水が止水板４１１に形成された通孔４１３及びバイパス弁体４１２の切り欠き部４１４を介してバイパス導出部２４２に流入することにより、バイパス水路２４の全体が充満し、更にバイパス導出部２４２を経由して連通水路２７に流れ込むことにより導水水路２６に到達するようになる。
【００２６】
ハウジング５は、図２に示すように、略円筒状に形成され、一端から固定ユニット１を挿入し、他端から水栓ユニット２挿入して、これらを収容するように形成されている。
【００２７】
図９は本考案の自動水栓の実施形態の電磁弁を示す断面図であり、図１０は本考案の自動水栓の実施形態の電磁弁を開閉する仕組みを示す断面図である。
【００２８】
電磁弁６は、図２、図３に示されているように、下流側から支持孔２５を覆うように水栓ユニット２に取り付けられていると共に、図３、図９、及び図１０に示されているように、電磁コイル６１と、電磁コイル６１に駆動される制御シャフト６２と、制御シャフト６２の作動に応じて軸線Ｌに沿って支持孔２５内における摺動で支持孔２５と導出水路２６との連通状態を制御する弁体６３とを有する。更に、電磁弁６は、制御シャフト６２の弁体６３に臨む端部に配置されている弁体取付け座６４と、弁体６３と弁体取付け座６４との間に介在し、弁体６３に対して弁体取付け座６４から離れさせて導出水路２６に接近させる付勢力を与え続けることができる圧縮コイルばね６５と、弁体取付け座６４における弁体６３に面する側とは反対側に配置されている圧力調整室６６とを具えている。また、弁体取付け座６４には、両端がそれぞれ導出水路２６と圧力調整室６６と連通するように形成されている減圧孔６７が設置されており、更に、弁体６３及び弁体取付け座６４には、冷水水路２１及び熱水水路２２を圧力調整室６６と連通させることができるように形成されている連通孔６８が複数設置されている。なお、連通孔６８の横断面の面積は減圧孔６７の横断面の面積より小さい。
【００２９】
センサ部７は、図２、図６に示すように、ハウジング５の例えば使用者に向かう正面と上面とにそれぞれ取り付けられると共に、電磁弁６に電気的に接続されている。また、センサ部７は、使用者に反応すると後述する組電池９によって電磁弁６に電力を提供することにより弁体６３を作動させて制御シャフト６２と連動する弁体６３を動かすことで導出水路２６の開閉を制御できるように構成されている。
【００３０】
吐水管８は、図６に示すように、第１の導出端部２６２に連接され、図１、図２に示すようにハウジング５の外側に延伸して導出水路２６からの水を本考案の自動水栓の外部に導出するように形成されている。
【００３１】
組電池９は、図２、図６に示すように、電磁弁６及びセンサ部７に電力を提供するため、ハウジング５の内側の電磁弁６及びセンサ部７に近い空間に配置されている。
【００３２】
次に、上記した構成からなる本考案の自動水栓の作用及び効果について説明する。
【００３３】
センサ部７が手などの物体が本考案の自動水栓に接近することを検知すると、センサ部７は組電池９によって電磁弁６を作動させ、電磁弁６の電磁コイル６１に電流を流すことで磁力が生じ、制御シャフト６２を吸い上げ、減圧孔６７が開放されることで圧力調整室６６が導出水路２６と連通する状態になる。その上、連通孔６８は冷水水路２１及び熱水水路２２と圧力調整室６６と連通するように形成されていると共に、連通孔６８の横断面の面積は減圧孔６７の横断面の面積より小さい。従って、連通孔６８を経由して伝わった水圧により圧力調整室６６に滞留した水は減圧孔６７を経由して導出水路２６に排出されるとともに、弁体６３は冷水水路２１及び熱水水路２２の水圧と圧力調整室６６との差圧により弁体取付け座６４に面する方向に圧迫されるので、図１０に示されているように冷水水路２１及び熱水水路２２と導出水路２６の導入端部２６１は連通し、冷水及び熱水は図１０において矢印で示された経路で導入端部２６１に流れ、吐水管８を経由して自動水栓の外部に流れる。また、弁体６３が圧迫される状態において、圧縮コイルばね６５は圧縮状態になっている。
【００３４】
一方、手などの物体が本考案の自動水栓から離れることをセンサ部７が検知すると、電磁弁６に対する電力の提供を切断し、電磁弁６の電磁コイル６１に流されていた電流がなくなって磁力が消え、制御シャフト６２が図９に示すように元の位置に戻って、圧力調整室６６が導出水路２６と断絶する状態になる。そして、冷水水路２１及び熱水水路２２の水圧と圧力調整室６６の水圧との差圧がなくなるため、弁体６３に対する圧迫がなくなり、代わりに圧縮コイルばね６５の弾性力によって弁体６３は元の位置に戻って導入端部２６１を遮断するため吐水管８に流れる水が止まる。
【００３５】
上記の構成により、センサ部７や電磁弁６が故障または電池切れなどの原因で機能しなくなり、電磁弁６が作動しないの場合においても、使用者は手動式制御ユニット４のバイパスレバー４２を操作することで、冷水水路２１及び熱水水路２２内の冷水及び熱水を、バイパス導入部２４１と、バイパス導出部２４２と、連通水路２７とを経由して第２の導出端部２６３に導くことができるので、水栓としての機能を果たすことが可能である。
【００３６】
なお、吐水管８から流れる水の温度を調整するには、センサ部７や手動式制御ユニット４の制御に関わらず、水温調整レバー３２を操作して調整することができる。
【産業上の利用可能性】
【００３７】
以上のように、本考案は、自動水栓の内部流路を変更することによって、故障や電池切れによりセンサ部７又は電磁弁６が作動しなくなっても、吐水及び止水できる上、水栓ユニット２の各部品例えば冷水通路２１と、熱水水路２２と、調整ユニット取付け部２３と、バイパス水路２４と、支持孔２５と、導出水路２６とが筒状に形成されているので、製造し易い、且つプラスチック材料により射出成形法で作成できることによって、生産効率を向上及び生産コストを低減することができる。
【００３８】
また、本考案の実施形態はこの明細書に記載されているが、本考案はこの実施形態に係る構成によって限定するものではなく、実用新案登録請求の範囲に記載される本考案の要旨の範囲を逸脱しない限りにおいて適宜変更して実施できる。
【符号の説明】
【００３９】
１  固定ユニット
１１  冷水導入孔
１２  熱水導入孔
２  水栓ユニット
２１  冷水水路
２２  熱水水路
２３  調整ユニット取付け部
２４  バイパス水路
２４１  バイパス導入部
２４２  バイパス導出部
２５  支持孔
２６  導出水路
２６１  導入端部
２６２  第１の導出端部
２６３  第２の導出端部
２７  連通水路
３  水温調整ユニット
３１  水温調整体
３１１  冷水規制孔
３１２  熱水規制孔
３２  水温調整レバー
４  手動式制御ユニット
４１  バイパスバルブ
４１１  止水板
４１２  バイパス弁体
４１３  通孔
４１４  切り欠き部
４１５  塞き止め部
４２  バイパスレバー
５  ハウジング
６  電磁弁
６１  電磁コイル
６２  制御シャフト
６３  弁体
６４  弁体取付け座
６５  圧縮コイルばね
６６  圧力調整室
６７  減圧孔
６８  連通孔
７  センサ部
８  吐水管
９  組電池
【図１】
0003204570.tif 000003
【図２】
0003204570.tif 000004
【図３】
0003204570.tif 000005
【図４】
0003204570.tif 000006
【図５】
0003204570.tif 000007
【図６】
0003204570.tif 000008
【図７】
0003204570.tif 000009
【図８】
0003204570.tif 000010
【図９】
0003204570.tif 000011
【図１０】
0003204570.tif 000012